(57)【特許請求の範囲】
【請求項１】
前胴周り部と後胴周り部とこれら両部間に位置する股下部とからなっていてこれら前後胴周り部と股下部とが平面状に展開されると砂時計型を呈するシート状被覆部材、および着用者の肌側に位置する表面シートと前記被覆部材側に位置する裏面シートとこれら両シート間に介在している吸液性芯材とからなっていて前記被覆部材の内面側において前記股下部を中心に前記前後胴周り部にまで延びている吸液性パネルからなり、前記被覆部材が前記前後胴周り部の少なくとも一方において胴周り方向への弾性的な伸縮性を有し、該被覆部材の前後胴周り部の側縁部どうしが実質的に分離不能に連結されているかまたは連結可能に形成されており、前記吸液性パネルは前記前後胴周り部の少なくとも一方の内面側で胴周り方向ヘ伸長状態で延びる伸縮性の弾性バンドに取り付けられ、前記弾性バンドの胴周り方向における先端部が当該弾性バンドと向かい合う前記胴周り部の側縁部分に接合している使い捨ておむつにおいて、
前記弾性バンドと向かい合う前記胴周り部内面と前記弾性バンドとの間には、一方の部位が前記内面に接合していて前記一方の部位に並行するもう一方の部位が前記弾性バンドに接合しているシート材料が介在し、前記シート材料は、前記内面と弾性バンドとの間において前記おむつの内外方向ヘの伸長性を有し、前記内面と前記弾性バンドとの間に生じて前記胴周り方向ヘ延びる間隙を前記シート材料が前記胴周り方向において少なくとも部分的に塞いでいることを特徴とする前記おむつ。
【請求項２】
前記シート材料の伸長性が、前記シート材料にひだを形成することによって生じている請求項１記載のおむつ。
【請求項３】
前記シート材料の伸長性が、前記シート材料として伸縮性の弾性シートを使用することによって生じている請求項１または２に記載のおむつ。
【発明の詳細な説明】
【０００１】
【発明の属する技術分野】
この発明は、使い捨ておむつに関する。
【０００２】
【従来の技術】
特開平１１−９９１６５号公報には、シート状の被覆部材と、胴周り方向ヘ延びる弾性バンドを介してこの被覆部材の内面に取り付けられた吸液性部材とからなる使い捨ておむつが開示されている。
【０００３】
この被覆部材は、前胴周り部と後胴周り部とこれら両部間に位置している股下部とからなり、前記股下部の両側縁部分が内方ヘ湾曲しており、これら前後胴周り部と股下部とが平面状に展開されたときに砂時計型を呈する。かかる被覆部材は、前後胴周り部の少なくとも一方において胴周り方向への弾性伸縮性を有し、該被覆部材の前後胴周り部の側縁部分どうしが連結されているかまたは連結可能に形成されている。
【０００４】
吸液性部材は、おむつ着用者の肌側に位置する透液性表面シートと、前記被覆部材側に位置する不透液性裏面シートと、これら両シート間に位置する吸液材とからなり、前記被覆部材の内面側において前記股下部を中心に前記前後胴周り部方向へ延びている。
【０００５】
かかる吸液性部材は、前記前後胴周り部のそれぞれにおいて胴周り方向ヘ伸長状態で延びている弾性バンドを有する。この弾性バンドの胴周り方向へ延びた先端部は、当該弾性バンドの位置する胴周り部の側縁部に接合している。かかる公知おむつの好ましい形態において、前記被覆部材は、前記前後胴周り部の側縁部分どうしが互いに連結され、胴周り開口部と一対の脚周り開口部とを有するパンツ型の形状を画成している。
【０００６】
【発明が解決しようとする課題】
前記公知のおむつでは、それがパンツ型のものであると、おむつを着用させようとするときに脚を被覆部材と弾性部材との間に誤って挿入するということがある。また、それが開放型のものであると、おむつを着用させようとするときに母親が被覆部材と弾性部材との間に誤って手を挿入するということがある。
【０００７】
前記公知のおむつには、それを使用しようとするときに、こうしたトラブルを生じることがあるから、この発明では、そのトラブルの解消を課題にしている。
【０００８】
【課題を解決するための手段】
前記課題解決のために、この発明が対象とするのは、使い捨ておむつであって、かかるおむつは、前胴周り部と後胴周り部とこれら両部間に位置する股下部とからなっていてこれら前後胴周り部と股下部とが平面状に展開されると砂時計型を呈するシート状被覆部材、および着用者の肌側に位置する表面シートと前記被覆部材側に位置する裏面シートとこれら両シート間に介在している吸液性芯材とからなっていて前記被覆部材の内面側において前記股下部を中心に前記前後胴周り部にまで延びている吸液性パネルを有する。前記被覆部材は、前記前後胴周り部の少なくとも一方において胴周り方向への弾性的な伸縮性を有し、該被覆部材の前後胴周り部の側縁部どうしが、実質的に分離不能に連結されているかまたは連結可能に形成されている。前記吸液性パネルは、前記前後胴周り部の少なくとも一方の内面側で胴周り方向ヘ伸長状態で延びる伸縮性の弾性バンドに取り付けられ、前記弾性バンドの胴周り方向における先端部が当該弾性バンドと向かい合う前記胴周り部の側縁部分に接合している。
【０００９】
かかる使い捨ておむつにおいて、この発明が特徴とするところは、次のとおりである。前記弾性バンドと向かい合う前記胴周り部内面と前記弾性バンドとの間には、一方の部位が前記内面に接合していて前記一方の部位に並行するもう一方の部位が前記弾性バンドに接合しているシート材料が介在している。前記シート材料は前記内面と弾性バンドとの間において前記おむつの内外方向ヘの伸長性を有し、前記内面と前記弾性バンドとの間に生じて前記胴周り方向ヘ延びる間隙を前記シート材料が前記胴周り方向において少なくとも部分的に塞いでいる。
【００１０】
【発明の実施の形態】
添付の図面を参照して、この発明に係る使い捨ておむつの詳細を説明すると、以下のとおりである。
【００１１】
図１に部分破断斜視図で示されている使い捨ておむつは、パンツ形状に作られた被覆部材２と、被覆部材２の内側に位置する吸液性パネル３とを有する。被覆部材２は前胴周り部６と、後胴周り部７と、これら両部６，７間に位置する股下部８とで構成され、前後胴周り部６，７の側縁部分１１，１２どうしが合掌状に重なり合い、上下方向に間欠的に並ぶ接合域１３でおむつ着用時に実質的に分離することがないように連結している。かかる被覆部材２は、胴周り開口１６と一対の脚周り開口１７とを有し、胴周り開口１６の周縁部には複数条の弾性糸１８が伸長状態で取り付けられている。脚周り開口１７の周縁部には、股下部８を横断して前胴周り部６へ向かって延びる複数条の弾性糸２０ａと後胴周り部７へ向かって延びる複数条の弾性糸２０ｂとが伸長状態で取り付けられている。前後胴周り部６，７の上下方向には伸長された複数条の弾性糸２０ｃと２０ｄとが平行に並んでいる。被覆部材２は、前後胴周り部６，７において胴周り方向ヘ延びる弾性糸１８，２０ｃ，２０ｄの本数を適宜増減することができる他に、前後胴周り部６，７の一方において弾性糸１８，２０ｃ，２０ｄのいずれかを省いて、胴周り部６，７の一方にのみ胴周り方向への伸縮性を付与することもできる。
【００１２】
吸液性パネル３は、透液性表面シート２２と、不透液性裏面シート２３と、これら両シート２２，２３間に介在する吸液性芯材２４とを有する。パネル３は、被覆部材２の股下部８を中心に前後胴周り部６，７にまで延びており、前後胴周り部６，７それぞれにおいて胴周り方向ヘ伸長状態で延びる伸縮性の前方弾性バンド２６と後方弾性バンド２７との内面に接合している。かかる前方および後方弾性バンド２６、２７の胴周り方向両端部は、接合域１３において前胴周り部６と後胴周り部７と一体化している。パネル３の側縁部では、伸長された複数条の弾性糸３８が吸液性芯材２４に沿って延びている。
【００１３】
図２、３は、図１において接合域１３で連結している被覆部材２の前後胴周り部６，７を剥離して、おむつ１を前後方向ヘ展開したときの部分破断平面図と、そのＩＩＩ−ＩＩＩ線切断面を示す図である。図示例の吸液性パネル３は、前後方向に長いほぼ矩形のもので、前後端縁部３１，３２と、両側縁部３３とを有する。パネル３の表裏面シート２２，２３は、ほぼ矩形をなす吸液性芯材２４の周縁から延出している部分で互いに重なり合い、接着または溶着によって接合している。両側縁部３３では、裏面シート２３が、表面シート２２の縁から側方へ延出し、その延出する部分が表面シート２２の上に折り重ねられ、これら表裏面シート２２，２３がサイドフラップ３６を形成している。サイドフラップ３６では、折り重ねられた裏面シート２３と表面シート２２との間に複数条の弾性糸３８を有し、これら弾性糸３８がパネル３の前後方向（図の上下方向）に伸長された状態で表裏面シート２２，２３の少なくとも一方の内面に接合している。被覆部材２の股下部８の幅方向中央部には、接着剤４０によってパネル３の幅方向中央部が接合されている。
【００１４】
前胴周り部６において胴周り方向（図の左右方向）ヘ延びる前方弾性バンド２６と後胴周り部７において胴周り方向ヘ延びる後方弾性バンド２７とは、胴周り方向ヘ伸長されており、胴周り方向の両端部４３，４４のそれぞれが接合域１３において被覆部材２の側縁部内面に取り付けられている。前方弾性バンド２６と後方弾性バンド２７とは、おむつを前後に二分する中心線Ｃ−Ｃから等距離にあり、図２のおむつ１が中心線Ｃ−Ｃで折り重ねられて図１の状態に組み立てられると、前後胴周り部６，７に位置する端部４３と端部４４とが重なり合い、両弾性バンド２６，２７が被覆部材２の内側で環を形成する。
【００１５】
被覆部材２は、内外２枚のシート３７，３９を接着または溶着によって接合したもので、両シート３７，３９の内面には弾性糸１８，２０ａ，２０ｂ，２０ｃ，２０ｄが接着剤を介して接合している。２枚のシート３７，３９には、透液性または不透液性の不織布や織布、プラスチックフィルムを使用することができる。
【００１６】
図４は、図２のＩＶ−ＩＶ線切断面を示す図である。後方弾性バンド２７は、２枚の不織布２８，２９を重ね合わせて接着または溶着により接合することにより形成され、両不織布２８，２９の内面には胴周り方向ヘ延びる複数条の弾性糸５１が伸長状態で接着されており、胴周り方向へ弾性的に伸縮する。後方弾性バンド２７の内面には、パネル３の後端部３２が接着剤５２を介して取り付けられている。パネル３の裏面シート２３は、バンド２７を越えて上方へ延びる延出部５３を有し、この延出部５３が被覆部材２の内面とバンド２７との間にひだを形成し、先端部分５４が接着剤５６を介して被覆部材２に接合している。好ましい延出部５３は、Ｚ字状またはＷ字状に規則的に折曲されることによってひだを形成している。かような後方弾性バンド２７は、図示例のものに代えてゴムシート等の弾性シートで形成することもできる。前方弾性バンド２６は、後方弾性バンド２７と同様に形成されている。
【００１７】
このようなおむつ１を着用すると、パンツ型に組み立てられた被覆部材２の位置が胴周り開口１６周縁と脚周り開口１７周縁の弾性糸１８，２０ａ，２０ｂおよび前胴周り部６と後胴周り部７の弾性糸２０ｃ，２０ｄによって維持される。一方のパネル３は、その位置が前方弾性バンド２６と後方弾性バンド２７によって維持されるとともに、側縁部分の弾性糸３８の作用によってそ径部や脚周りに密着する。おむつ１では、着用者の胴部や脚部の動きに伴って被覆部材２が動いても、パネル３は、被覆部材２から殆ど独立している前方弾性バンド２６と後方弾性バンド２７とを介して着用者に密着しているから、被覆部材２の動きの影響を受けることがなく、着用者の身体に対してずれ動くことがない。かかるおむつ１のパネル３は、着用当初に身体に対してしっかりと密着させれば、その状態を長く維持することが可能で、排泄物の漏れ防止機能に優れている。また、このおむつ１を着用するときには、図４において矢印６０方向から挿入される脚がパネル３の延出部５３に阻まれて、被覆部材２と後方弾性バンド２７との間に入ることがない。延出部５３は、それがひだを形成していることによっておむつ１の内外方向への伸長性を有するから、被覆部材２の動きが延出部５３を介して後方弾性バンド２７に伝わることはない。
【００１８】
図示されてはいないが、被覆部材２とパネル３と前方弾性バンド２６との関係は図４のそれと同様であり、前胴周り部６においても被覆部材２の動きがパネル３に伝わることがない。また、おむつ１を着用するときに脚が被覆部材２と前方弾性バンド２６との間に入ることもない。
【００１９】
図５は、この発明の実施態様の一例を示す図４と同様の図面である。このおむつ１では、パネル３の裏面シート２３を図４のように後方弾性バンド２７から延出させることに代えて、裏面シート２３とは別体のシート５７が被覆部材２の内面と後方弾性バンド２７との間に介在している。シート５７は、接着剤５８によってこれら被覆部材２と後方弾性バンド２７とに取り付けられている。シート５７は、それが弾性的に非伸縮性のものである場合には、図のようにＷ字状等に折曲されてひだを形成していることが好ましいが、それが弾性的に伸縮性のものであっておむつ１の内外方向へ伸縮可能な場合には、そのようなひだを省くことができる。シート５７は、後方弾性バンド２７の胴周り方向全長にわたって設けることもできるし、その全長のうちの一部分に設けることもできる。シート５７が通気性のものであれば、被覆部材２内部の空気の流動を妨げることがなく、蒸れの防止に役立つ。
【００２０】
図６もまた、この発明の実施態様の一例を示すおむつ１の平面図である。このおむつ１は、開放型のものであるが、その平面形状は図２のおむつ１とほぼ同じである。ただし、図６のおむつ１は、後胴周り部７の両側縁部に粘着材６２が塗布されたテープファスナ６１を有し、おむつ１を着用するときには、このファスナ６１を前胴周り部６の外面に止着することによって、前後胴周り部６，７の側縁部分４３，４４とを剥離可能に連結する。このおむつ１では、前方弾性バンド２６と被覆部材２との間および後方弾性バンド２７と被覆部材２との間のそれぞれに弾性バンド２６，２７のほぼ全長にわたる図５に例示のシート５７が取り付けられている。このようなおむつ１では、それを扱う母親や介護者の手が誤って被覆部材２と弾性バンド２６または２７との間に進入するということがない。
【００２１】
図７もまたこの発明の実施態様の一例を示す図６と同様な図面である。このおむつ１では、図６のそれと異なり、パネル３の後端縁部３２が被覆部材２の後胴周り部７の内面に接着または溶着によって取り付けられ、前端縁部３１が図６と同様に前方弾性バンド２６に取り付けられている。この発明に係るおむつ１では、このように被覆部材２の前胴周り部６および後胴周り部７の一方においてのみ弾性バンド２６または２７を使用し、もう一方においてはパネル３を被覆部材２に直接取り付けることもできる。図７の例においても被覆部材２と弾性バンド２６または２７との間の間隙は、パネル３の裏面シート２３や図５のシート５７等によって塞ぐことが必要である。
【００２２】
【発明の効果】
この発明に係る使い捨てのおむつにおいては、被覆部材と吸液性パネルとを被覆部材の胴周り方向ヘ弾性的に伸縮する弾性バンドを介して取り付け、これら被覆部材と弾性バンドとの間の間隙をおむつ内外方向への伸長性を有するシートで塞いだから、被覆部材と弾性バンドとの間に誤って脚や手を入れるという恐れがない。
【図面の簡単な説明】
【図１】おむつの部分破断斜視図。
【図２】図１のおむつの展開図。
【図３】図１のＩＩＩ−ＩＩＩ線切断面を示す図。
【図４】図１のＩＶ−ＩＶ線切断面を示す図。
【図５】実施態様の一例を示す図４と同様な図。
【図６】実施態様の一例を示すおむつの平面図。
【図７】実施態様の一例を示す図６と同様な図。
【符号の説明】
１      おむつ
２      被覆部材
３      パネル
６      前胴周り部
７      後胴周り部
８      股下部
２２      表面シート
２３      裏面シート
２４      芯材
２６      弾性バンド
２７      弾性バンド
４３      側縁部
４４      側縁部
５３      シート材料（延出部）
５７      シート材料
【図１】
0003696115.tif 000002
【図２】
0003696115.tif 000003
【図３】
0003696115.tif 000004
【図４】
0003696115.tif 000005
【図５】
0003696115.tif 000006
【図６】
0003696115.tif 000007
【図７】
0003696115.tif 000008